【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
端子接続部が装着可能な装着方向に交差する交差方向に移動可能な装置側端子部と、位置決め部と、を備える印刷装置、に装着可能な端子接続部であって、
前記装置側端子部と電気的に接続可能な基板と、
前記位置決め部が前記交差方向に動くことを規制する規制部と、
を有し、
前記印刷装置に装着された状態において、前記基板は前記装着方向に対して傾斜しており、
前記基板と前記規制部とが、前記装置側端子部が挿入される凹部に設けられ、
前記基板の少なくとも一部が、前記凹部の開口端から前記凹部の外部に突出する、
端子接続部。
【請求項２】
請求項１に記載の端子接続部であって、
前記基板の少なくとも一部は、前記基板が傾斜する傾斜方向と平行に、前記凹部を形成する側壁の開口端から前記凹部の外部に突出する、端子接続部。
【請求項３】
請求項１または請求項２に記載の端子接続部であって、
前記規制部は、前記基板の、前記傾斜の方向と交差する幅方向の端部である、端子接続部。
【請求項４】
請求項１に記載の端子接続部であって、
前記基板を支持する支持部を更に備え、
前記基板の少なくとも一部が、前記支持部の先端よりも前記基板が傾斜する傾斜方向において突出する、端子接続部。
【請求項５】
請求項１に記載の端子接続部であって、
前記規制部は溝である、端子接続部。
【請求項６】
端子接続部が装着可能な装着方向に交差する交差方向に移動可能な装置側端子部と、位置決め部と、を備える印刷装置、に装着可能な端子接続部であって、
前記装置側端子部と電気的に接続可能な基板と、
前記基板を支持する支持部と、
前記位置決め部が前記交差方向に動くことを規制する規制部と、
を有し、
前記印刷装置に装着された状態において、前記基板は前記装着方向に対して傾斜しており、
前記基板と前記規制部とが、前記支持部に設けられ、
前記基板の少なくとも一部が、前記支持部から離れる方向に突出する、
端子接続部。
【請求項７】
請求項６に記載の端子接続部であって、
前記規制部は、前記基板の、前記傾斜の方向と交差する幅方向の端部である、端子接続部。
【請求項８】
請求項６に記載の端子接続部であって、
前記基板は、前記支持部から離れる方向に突出する凸状支持部に支持される、ことを特徴とする端子接続部。
【請求項９】
請求項８に記載の端子接続部であって、
前記規制部は、前記凸状支持部の、前記傾斜の方向と交差する幅方向の端部である、端子接続部。
【請求項１０】
請求項６に記載の端子接続部であって、
前記規制部は溝である、端子接続部。
【請求項１１】
カートリッジが装着可能な装着方向に交差する交差方向に移動可能な装置側端子部と、位置決め部と、を備える印刷装置、に装着可能なカートリッジであって、
前記装置側端子部と電気的に接続可能な基板と、
前記位置決め部が前記交差方向に動くことを規制する規制部と、
を有し、
前記印刷装置に装着された状態において、前記基板は前記装着方向に対して傾斜しており、
前記基板と前記規制部とが、前記装置側端子部が挿入される凹部に設けられ、
前記基板の少なくとも一部が、前記凹部の開口端から前記凹部の外部に突出する、
カートリッジ。
【請求項１２】
請求項１１に記載のカートリッジであって、
前記基板の少なくとも一部は、前記基板が傾斜する傾斜方向と平行に、前記凹部を形成する側壁の開口端から前記凹部の外部に突出する、カートリッジ。
【請求項１３】
請求項１１または請求項１２に記載のカートリッジであって、
前記規制部は、前記基板の、前記傾斜の方向と交差する幅方向の端部である、カートリッジ。
【請求項１４】
請求項１１に記載のカートリッジであって、
前記基板を支持する支持部を更に備え、
前記基板の少なくとも一部が、前記支持部の先端よりも前記基板が傾斜する傾斜方向において突出する、カートリッジ。
【請求項１５】
請求項１１に記載のカートリッジであって、
前記規制部は溝である、カートリッジ。
【請求項１６】
カートリッジが装着可能な装着方向に交差する交差方向に移動可能な装置側端子部と、位置決め部と、を備える印刷装置、に装着可能なカートリッジであって、
前記装置側端子部と電気的に接続可能な基板と、
前記基板を支持する支持部と、
前記位置決め部が前記交差方向に動くことを規制する規制部と、
を有し、
前記印刷装置に装着された状態において、前記基板は前記装着方向に対して傾斜しており、
前記基板と前記規制部とが、前記支持部に設けられ、
前記基板の少なくとも一部が、前記支持部から離れる方向に突出する、カートリッジ。
【請求項１７】
請求項１６に記載のカートリッジであって、
前記規制部は、前記基板の、前記傾斜の方向と交差する幅方向の端部である、カートリッジ。
【請求項１８】
請求項１６に記載のカートリッジであって、
前記基板は、前記支持部から離れる方向に突出する凸状支持部に支持される、ことを特徴とするカートリッジ。
【請求項１９】
請求項１８に記載のカートリッジであって、
前記規制部は、前記凸状支持部の、前記傾斜の方向と交差する幅方向の端部である、カートリッジ。
【請求項２０】
請求項１６に記載のカートリッジであって、
前記規制部は溝である、カートリッジ。
【手続補正２】
【補正対象書類名】明細書
【補正対象項目名】００３６
【補正方法】変更
【補正の内容】
【００３６】
図６に示すように、第２の装置側側壁部６４はカートリッジ４を装着位置まで案内するための第２のレール６０２を有する。第２のレール６０２は、少なくとも装着されるカートリッジの個数に対応して設けられている。本実施例では、第２のレール６０２は第１のレール６８２と同様に５つ設けられている。第２のレール６０２はＹ軸方向に延びる溝であり、カートリッジ４の一部分が挿入される。また、第２のレール６０２の−Ｙ軸方向側端部には、係止部材としての板ばね６０４が設けられている。装着状態では、板ばね６０４がカートリッジ４を係止することで、カートリッジ装着部６からカートリッジ４が抜け出すことを防止する。同じカートリッジ４が装着される第１のレール６８２と第２のレール６０２は、カートリッジ収容室６１を挟んで向かい合う位置に設けられている。
【手続補正３】
【補正対象書類名】明細書
【補正対象項目名】００６０
【補正方法】変更
【補正の内容】
【００６０】
図１４〜図１８に示すように、ホルダー７５０は、端子台７２４とコネクター基板７３０を保持する。詳細には、ホルダー７５０は収容空間７５１を有し、収容空間７５１に端子台７２４とコネクター基板７３０が収容されてホルダー７５０に保持される。また図１８に示すように、ホルダー７５０は、端子台７２４の表面７２４ｆａが＋Ｙ軸方向成分及び−Ｚ軸方向成分を含む方向を向いて傾斜しつつＸ軸には平行な向きとなるような状態（「第１の状態」とよぶ）で端子台７２４を保持する。換言すれば、ホルダー７５０は、端子台７２４の表面７２４ｆａがＹ軸とＺ軸に対して傾斜するように端子台７２４を保持する。端子台７２４がホルダー７５０にこのような状態で保持されることによって、装置側端子群７２１の接点７２２は、＋Ｙ軸方向成分及び前記−Ｚ軸方向成分を含む方向を向いて傾斜した表面７２４ｆａ上に設けられることとなる。また、ホルダー７５０は、軸７２１ｒが端子接点７２２よりも＋Ｙ軸方向側かつ＋Ｚ軸方向側に位置する状態（「第２の状態」とよぶ）で端子台７２４を保持する。第１の状態と第２の状態を満たしてホルダー７５０が端子台７２４を保持することで、図１８に示すように端子接点７２２は矢印ＹＲ１の向きに弾性変形可能な状態となっている。別の観点から、装置側端子群７２１の弾性変形について以下に述べる。ホルダー７５０は、装置側端子群７２１の各端子が弾性変形する所定の平面が、Ｙ軸とＺ軸に平行な平面（「ＹＺ平面」とも呼ぶ。）となる状態で端子台７２４を保持する。ホルダー７５０がこのように端子台７２４を保持することで、各接点７２２はＹＺ平面上で移動可能な状態となっている。
【手続補正４】
【補正対象書類名】明細書
【補正対象項目名】００６２
【補正方法】変更
【補正の内容】
【００６２】
第１壁部７５２ｔと第２壁部７５２ｗは、収容空間７５１を区画形成する壁である。第１の位置決め部７５６ｔと第２の位置決め部７５６ｗは、それぞれ端子台７２４の表面７２４ｆａの＋Ｘ軸方向側の側方及び−Ｘ軸方向側の側方に位置する。第１と第２の位置決め部７５６ｔ，７５６ｗは、カートリッジ４がカートリッジ装着部６に装着される際に、装置側端子群７２１の各端子と対応するカートリッジ側端子群の各端子とが接触する接触位置にカートリッジ４と装置側端子部７０を案内する。詳細には、第１の位置決め部７５６ｔと第２の位置決め部７５６ｗは、カートリッジ４がカートリッジ装着部６に装着される際に、装置側端子群７２１とカートリッジ側端子群との接触が開始される前に、カートリッジ４に形成された溝への挿入が開始されるように構成される。これにより、カートリッジ４と装置側端子部７０が接触位置まで精度よく移動できる。第１の位置決め部７５６ｔは、Ｙ軸方向（カートリッジ４の挿入方向）に沿って延びる。また、第１の位置決め部７５６ｔは、第１壁部７５２ｔから＋Ｘ軸方向に突出する。第２の位置決め部７５６ｗは、Ｙ軸方向（カートリッジ４の挿入方向）に沿って延びる。また、第２の位置決め部７５６ｗは、第２壁部７５２ｗから−Ｘ軸方向に突出する。本実施例では上記の第１の構成を実現するために、図１８に示すように、位置決め部７５６の＋Ｙ軸方向側の端部７５７が端子接点７２２よりも＋Ｙ軸方向側に位置するように位置決め部７５６が設けられている。なお、端部７５７は、＋Ｙ軸方向から−Ｙ軸方向に向かうに従ってＺ軸方向の寸法が大きくなるテーパー形状である。これにより、カートリッジ４の後述する規制部に位置決め部７５６を容易に挿入できる。位置決め部７５６ｔ，７５６ｗは、それぞれ、カートリッジ４がカートリッジ装着部６に装着された装着状態において、カートリッジ４に形成された溝と接触する４つの接触面を有する。これら４つの接触面のうち、図１６及び図１７には、位置決め部７５６ｗの接触面７５６ｗａ，７５６ｗｂ，７５６ｗｃ，７５６ｗｄと、位置決め部７５６ｔの接触面７５６ｔｂ，７５６ｔｄのみが示されている。４つの接触面のうち、Ｚ軸方向において対向する２つの面であって、＋Ｚ軸方向側に位置するものをＡ面７５６ｔａ（図３３〜３６），７５６ｗａ、−Ｚ軸方向側に位置するものをＢ面７５６ｔｂ，７５６ｗｂとよぶ。また、Ｘ軸方向に交わる面をＣ面７５６ｔｃ（図３３〜３６），７５６ｗｃとよぶ。また、＋Ｙ軸方向の先端面をＤ面７５６ｔｄ，７５６ｗｄとよぶ。
【手続補正５】
【補正対象書類名】明細書
【補正対象項目名】００６４
【補正方法】変更
【補正の内容】
【００６４】
図１０乃至図１２に示すように、ホルダー７５０は、端子台７２４を保持した状態で、装置側前壁部６２に取付けられる。具体的には、ホルダー７５０は、第１の前壁部６９０の端子装着部６９４に取付けられる。端子装着部６９４は、Ｘ軸方向において対向する一対の支持壁６９６と、この壁に設けられた一対の嵌合穴６９８とを有する。一方、装置側端子部には、Ｘ軸方向において対向する一対の端子側嵌合部７６２が設けられる。端子側嵌合部７６２がホルダー７５０の一対の嵌合穴６９８に嵌め合わされることで、装置側端子部７０が装置側前壁部６２に対して取り付けられる。ここで、一対の端子側嵌合部７６２と一対の支持壁６９６との間には、Ｘ軸方向にクリアランスが設けられている。よって、装置側端子部７０は、装置側前壁部６２に対してＸ軸方向に微少に移動可能な状態となっている。また、一対の端子側嵌合部７６２と一対の嵌合穴６９８との間には、Ｚ軸方向にクリアランスが設けられている。よって、装置側端子部７０は、装置側前壁部６２に対してＺ軸方向に微小に移動可能な状態となっている。
【手続補正６】
【補正対象書類名】明細書
【補正対象項目名】００６５
【補正方法】変更
【補正の内容】
【００６５】
また、端子装着部６９４の一対の支持壁６９６には、それぞれ、Ｙ軸方向において対向する一対の係合部６９６ａ，６９６ｂが設けられている。そして、ホルダー７５０の一対の端子側嵌合部７６２にも、それぞれ、Ｙ軸方向において対向する一対の係合部７６２ａ，７６２ｂが設けられている。端子側嵌合部７６２が端子装着部６４９の一対の嵌合穴６９８に嵌め合わされると、係合部６９６ａと係合部７６２ａとが−Ｙ軸方向において係合し、係合部６９６ｂと係合部７６２ｂとが＋Ｙ軸方向において係合する。係合部６９６ａと係合部７６２ａとの間には、クリアランスがほとんどない。また、係合部６９６ｂと係合部７６２ｂとの間にも、実質的にクリアランスがない。よって、装置側端子部７０は、装置側前壁部６２に対してＹ軸方向には実質的に移動できない。
【手続補正７】
【補正対象書類名】明細書
【補正対象項目名】００７１
【補正方法】変更
【補正の内容】
【００７１】
図１９、図２３、図２５及び図２６に示すように、第１側面４３は第１凸部４３２を有する。第１凸部４３２は、第１側面４３から＋Ｚ軸方向側に突出する。第１凸部４３２は、Ｙ軸方向に沿って延びる。詳細には、図２５及び図２６に示すように、第１凸部４３２は、第１側面４３のうち、前面４２に近接した位置から後面４７に近接した位置まで延びる。さらに詳細には、第１凸部４３２は、−Ｙ軸方向側の第１部分４３２ａと＋Ｙ軸方向側の第２部分４３２ｂに分かれており、その間に凹状の第１係止部４３６が形成される。図２４〜図２６に示すように、第２側面４４は第２凸部４４２を有する。第２凸部４４２は、第２側面４４から−Ｚ軸方向側に突出する。第２凸部４４２は、Ｙ軸方向に沿って延びる。詳細には、図２５及び図２６に示すように、第２凸部４４２は、第２側面４４のうち、前面４２に近接した位置から後面４７に近接した位置まで延びる。さらに詳細には、第２凸部４４２は、−Ｙ軸方向側の第１部分４４２ａと＋Ｙ軸方向側の第２部分４４２ｂに分かれており、その間に凹状の第２係止部４４６が形成される。カートリッジ４がカートリッジ装着部６に装着される際には、第１凸部４３２が第１のレール６８２（図７）に挿入され、第２凸部４４２が第２のレール６０２（図６）に挿入される。これにより、カートリッジ４をカートリッジ装着部６の対応するスロットに対して円滑に押し進めることができる。
【手続補正８】
【補正対象書類名】明細書
【補正対象項目名】００７９
【補正方法】変更
【補正の内容】
【００７９】
図２７乃至図３０に示すように、凹部９０のＸ軸方向において対向する一対の側壁９０２ｔ，９０２ｗには、一対の溝９０６ｔ,９０６ｗがそれぞれ設けられている。これらの溝９０６ｔ，９０６ｗは、Ｘ軸方向に互いに向かい合うように設けられている。また、図２８に示すように、溝９０６ｔ，９０６ｗは、ＹＺ平面２８ｃに対して対称に設けられている。このＹＺ平面２８ｃは、カートリッジのＸ軸方向の寸法（幅）の中心を構成する面である。凹部９０内に配置される回路基板５０及び凹部９０を構成する各要素は、このＹＺ平面２８ｃに対して対称に設けられている。すなわち、ＹＺ平面２８ｃは、カートリッジ側端子群５２１のＸ軸方向の寸法（幅）の中心を通る。そして、カートリッジ側端子群５２１のうち、カートリッジ端子群５２１の幅方向の中心に設けられた電極５２１ｃが、ＹＺ平面２８ｃと交わる。また、ＹＺ平面２８ｃは、回路基板５０のＸ軸方向の寸法（幅）の中心を通る。また、このＹＺ平面２８ｃは、回路基板５０を底壁９８８に取り付けるために底壁９８８に設けられた取付け部５０ａ，５０ｂを通る。また、ＹＺ平面２８ｃは、カートリッジ側端子群５２１のうち、Ｘ軸方向の中央部に設けられた端子５２１ｃを通る。この端子５２１ｃは、装置側端子群７２１のうち、Ｘ軸方向の中央部に設けられた端子７２１ｃ（図１６参照）と接触する端子である。また、凹部９０の溝９０６ｔ，９０６ｗと、一対の側壁９０２ｔ，９０２ｗは、ＹＺ平面２８ｃに対して対称に設けられる。さらに、ＹＺ平面２８ｃは、先に説明した第１凸部４３２（４３２ａ，４３２ｂ）及び第２凸部４４２（４４２ａ，４４２ｂ，図２１及び図２５参照）のＸ軸方向の寸法（幅）の中心を通る。また、図２８には示していないが、ＹＺ平面２８ｃは、第１側面４３に設けられた第１係止部４３６（図２５）及び第２側面４４に設けられた第２係止部４４６（図２５）のＺ軸方向の寸法（幅）の中心を通る。また、この第１係止部４３６及び第２係止部４４６を係止する板ばね６８４及び６０４（図６，図７）は、このＹＺ平面２８ｃと交差する。
【手続補正９】
【補正対象書類名】明細書
【補正対象項目名】００８１
【補正方法】変更
【補正の内容】
【００８１】
図２９及び図３０に示すように、溝９０６ｔ，９０６ｗは、それぞれ−Ｙ軸方向側の端面に開口９４１，９６１を有する。溝９０６ｔ，９０６ｗは、これらの開口９４１，９６１から＋Ｙ軸方向側に延びる入口部分９１６ｔ，９１６ｗと、入口部分９１６ｔ，９１６ｗの＋Ｙ軸方向の端部から＋Ｙ軸方向側に延びる接触部分９２６ｔ，９２６ｗとを備える。−Ｙ軸方向側の端面の開口９４１，９６１は、それぞれ、カートリッジ４がカートリッジ装着部６に装着される際に、位置決め部７５６ｔ，７５６ｗが挿入される入口となる。開口９４１，９６１は、カートリッジ側端子群５２１よりも−Ｙ軸方向側に形成されているため、装置側端子群７２１とカートリッジ側端子群５２１との接触が開始される前に、位置決め部７５６ｔ，７５６ｗの溝９０６ｔ，９０６ｗへの挿入が開始される。
【手続補正１０】
【補正対象書類名】明細書
【補正対象項目名】００８３
【補正方法】変更
【補正の内容】
【００８３】
接触部分９２６ｔ，９２６ｗは、それぞれ、装着状態において、位置決め部７５６ｔ，７５６ｗと接触する。図２９及び図３０に示すように、接触部分９２６ｔ，９２６ｗは、それぞれ、装着状態において位置決め部７５６ｔ，７５６ｗと接触する接触面９４０，９６０を有する。図３０に示すように、第１の位置決め部７５６ｔとの接触面９４０、つまり、溝９０６ｔの接触面９４０は、４つの面９４２，９４６，９４８，９４４を備える。同様に、図２９に示すように、第２の位置決め部７５６ｗとの接触面９６０、つまり、溝９０６ｗの接触面９６０も、４つの面９６２，９６６，９６８，９６４を備える。これら４つの接触面を、それぞれ、Ａ面９４２，９６２、Ｂ面９４６，９６６、Ｃ面９４４，９６４、Ｄ面９４８，９６８ともよぶ。
図３０に示すように、溝９０６ｔのＡ面９４２とＢ面９４６は、Ｚ軸方向において対向しており、Ａ面９４２が＋Ｚ軸方向側に、Ｂ面９４６が−Ｚ軸方向側に位置する。溝９０６ｔのＤ面９４８は、Ｙ軸方向において開口９４１と対向しており、開口９４１が−Ｙ軸方向側、Ｄ面９４８が＋Ｙ軸方向側に位置する。またＤ面９４８は、Ａ面９４２及びＢ面９４６と交わる。溝９０６ｔのＣ面９４４は、図２８に示すように、第１の側壁９０２ｔの延長面９０２ｔｅと対向しており、第１の側壁９０２ｔの延長面９０２ｔｅに対して＋Ｘ軸方向側に位置する。またＣ面９４４は、Ａ面９４２、Ｂ面９４６、及び、Ｄ面９４８と交わる。溝９０６ｔのＡ面９４２は、第１の位置決め部７５６ｔ（図１６）の＋Ｚ軸方向側端部と接触する。Ｂ面９４６は、第１の位置決め部７５６ｔの−Ｚ軸方向側端部と接触する。第１のＤ面９４８は、第１の位置決め部７５６ｔの＋Ｙ軸方向側端部と接触する。第１のＣ面９４４は、第１の位置決め部７５６ｔの＋Ｘ軸方向側端部と接触する。
【手続補正１１】
【補正対象書類名】明細書
【補正対象項目名】００８４
【補正方法】変更
【補正の内容】
【００８４】
図２９に示すように、溝９０６ｗのＡ面９６２とＢ面９６６は、Ｚ軸方向において対向しており、Ａ面９６２が＋Ｚ軸方向側に、Ｂ面９６６が−Ｚ軸方向側に位置する。溝９０６ｗのＤ面９６８は、Ｙ軸方向において開口９６１と対向しており、開口９６１が−Ｙ軸方向側、Ｄ面９６８が＋Ｙ軸方向側に位置する。またＤ面９６８は、Ａ面９６２，Ｂ面９６６と交わる。溝９０６ｗのＣ面９６４は、図２８に示したように、第２の側壁９０２ｗの延長面９０２ｗｅと対向しており、第２の側壁９０２ｗの延長面９０２ｗｅに対して−Ｘ軸方向側に位置する。またＣ面９６４は、Ａ面９６２、Ｂ面９６６、及び、Ｄ面９６８と交わる。溝９０６ｗのＡ面９６２は、第２の位置決め部７５６ｗ（図１６）の＋Ｚ軸方向側端部と接触する。Ｂ面９６６は、第２の位置決め部７５６ｗの−Ｚ軸方向側端部と接触する。Ｄ面９６８は、第２の位置決め部７５６ｗの＋Ｙ軸方向側端部と接触する。Ｃ面９６４は、第２の位置決め部７５６ｗの−Ｘ軸方向側端部と接触する。
【手続補正１２】
【補正対象書類名】明細書
【補正対象項目名】００８６
【補正方法】変更
【補正の内容】
【００８６】
図２７に示すように、底壁９８８の、傾斜面５０ｆａと第１の側壁９０２ｔとの間、及び、傾斜面５０ｆａと第２の側壁９０２ｗとの間には、それぞれ一対の底壁側凹部９１０ｔ,９１０ｗが形成されている。図３１に示すように、一対の底壁側凹部９１０ｔ,９１０ｗは、それぞれ、装着状態において装置側端子部７０の一対の突起７５９ｔ，７５９ｗ（図１６）を受け入れるように構成されている。なお、一対の底壁側凹部９１０ｔ,９１０ｗをまとめて第１の底壁側凹部９１０とも呼ぶ。
【手続補正１３】
【補正対象書類名】明細書
【補正対象項目名】００８９
【補正方法】変更
【補正の内容】
【００８９】
図３５に示すように、カートリッジ４がさらに−Ｙ軸方向に押し進められ、溝９０６の接触部分９２６ｔ，ｗに位置決め部７５６ｔ，ｗが挿入されると、位置決め部７５６ｔ，ｗのＣ面７５６ｔｃ，ｗｃが、それぞれ溝９０６ｔ，ｗのＣ面９４４，９６４に接触することで、装置側端子部７０（図１０）のＸ軸方向の移動が規制される。また、このとき、位置決め部７５６ｔ，ｗのＡ面７５６ｔａ，ｗａが、それぞれ溝９０６ｔ，ｗのＡ面９４２，９６２に接触し、Ｂ面７５６ｔｂ，ｗｂが、それぞれＢ面９４６，９６６に接触することで、装置側端子部７０のＺ軸方向の移動が規制される。これにより、カートリッジ側端子５２１ａと端子接点７２２ａとのＸ軸方向及びＺ軸方向の位置が定められる。そして、位置決め部７５６の接触部分９２６への挿入が始まった後、完全な挿入が完了する直前に、端子接点７２２ａが初めてカートリッジ側端子５２１ａに接触する。この時点では、位置決め部７５６ｔ，ｗの先端面７５６ｔｄ，７５６ｗｄは溝９０６ｔ，ｗのＤ面９４８，９６８に接触しておらず、更にカートリッジ４を押し進めることが可能である。図３５に示す状態から、カートリッジ４を更に−Ｙ軸方向に押し進めると、装置側端子７２１ａが弾性変形し、装置側端子７２１ａの接点７２２ａがカートリッジ側端子５２１ａと接触しながら矢印ＹＲ１ａの向きに移動する。このとき、僅かに装置側端子群とカートリッジ側端子群とが擦れ合う。そして、最終的には、図３６に示すように、位置決め部７５６ｔ，ｗの先端面７５６ｔｄ，ｔｗが溝９０６ｔ，ｗのＤ面９４８，９６８に接触し、カートリッジ側端子５２１ａと端子接点７２２ａとのＹ軸方向の位置が定められる。この状態で、カートリッジ４のカートリッジ装着部６への装着が完了する。また、装着完了時及び装着状態では、図３５に示した装着の最終段階と同様、位置決め部７５６ｔ，ｗのＡ面７５６ｔａ，ｗａと溝９０６ｔ，ｗのＡ面９４２，９６２とが＋Ｚ軸方向において接触している。また、Ｂ面７５６ｔｂ，ｗｂと溝９０６ｔ，ｗのＢ面９４６，９６６とが−Ｚ軸方向において接触している。また、第１の位置決め部のＣ面７５６ｔｃが＋Ｘ軸方向において第１の溝９０６ｔのＣ面９４４と接触し、第２の位置決め部のＣ面７５６ｗｃが−Ｘ軸方向において第２の溝９０６ｗのＣ面９６４と接触している。よって、位置決め部７５６ｔ，ｗのＺ軸方向及びＸ軸方向の動きが、溝９０６ｔ，ｗによって規制される。これにより、装置側端子７２１ａとカートリッジ側端子５２１ａとの接触を良好に図ることができる位置に、両者７２１ａ，５２１ａを保持することができる。
【手続補正１４】
【補正対象書類名】明細書
【補正対象項目名】００９５
【補正方法】変更
【補正の内容】
【００９５】
また、上記実施例によれば、図１６，図１７及び図３６に示したように、装置側端子部７０の第１及び第２の位置決め部７５６ｔ，ｗの＋Ｚ軸方向側の端部にＡ面７５６ｔａ，ｗａが設けられており、−Ｚ軸方向側の端部にＢ面７５６ｔｂ，ｗｂが設けられている。そして、図２８乃至図３０及び図３６に示したように、凹部９０に設けられた第１及び第２の規制部としての溝９０６ｔ，ｗに、それぞれ、Ａ面９４２，９６２と、Ｂ面９４６，９６６とが設けられている。図３６に示したように、溝９０６ｔ，ｗのＡ面９４２，９６２は、装着状態において、第１及び第２の位置決め部７５６ｔ，ｗの＋Ｚ軸方向側の端部に設けられたＡ面７５６ｔａ，ｗａと接触する。溝９０６ｔ，ｗのＢ面９４６，９６６は、装着状態において、第１及び第２の位置決め部７５６ｔ，ｗの−Ｚ軸方向側の端部に設けられたＢ面７５６ｔｂ，ｗｂと接触する。つまり、第１及び第２の規制部９０６ｔ，ｗは、第１及び第２の位置決め部７５６ｔ，ｗの±Ｚ方向の動きを規制する。これにより、装置側端子群７２１に対するカートリッジ側端子群５２１のＺ軸方向の位置決めを精度良く行なうことができる。よって、装置側端子群７２１とカートリッジ側端子群５２１との接触をより良好に図ることができる。しかも、＋Ｚ軸方向と−Ｚ軸方向の両側で装置側端子部７０を保持できるため、プリンター１０の使用時に振動や外部からの衝撃が加わっても、このような振動や衝撃による装置側端子群７２１とカートリッジ側端子群５２１との接触位置のずれを、抑制できる。
【手続補正１５】
【補正対象書類名】明細書
【補正対象項目名】００９７
【補正方法】変更
【補正の内容】
【００９７】
さらに、上記実施例では、図２８乃至図３０及び図３６に示したように、第１及び第２の規制部としての溝９０６ｔ，ｗが、それぞれ第１及び第２の位置決め部の＋Ｙ軸方向側端部のＤ面７５６ｔｄ，ｗｄと接触するＤ面９４８，９６８を備える。これにより、カートリッジ４をカートリッジ装着部６に挿入する際に、装置側端子部７０が過度に＋Ｙ軸方向に進行しすぎることで、カートリッジ４の凹部９０内の底壁９８８に強く衝突することを防ぐことができる。これにより、装置側端子部７０の破壊を防ぐことができる。
【手続補正１６】
【補正対象書類名】明細書
【補正対象項目名】０１０３
【補正方法】変更
【補正の内容】
【０１０３】
また、上記実施例では、図２８に示すように、カートリッジ４のＸ軸方向の寸法の中心を構成するＹＺ平面２８ｃに対して、回路基板５０及び凹部９０を構成する各要素が対称に設けられている。また、図２８には示していないが、ＹＺ平面２８ｃは、第１側面４３に設けられた第１係止部４３６（図２５）及び第２側面４４に設けられた第２係止部４４６（図２５）のＺ軸方向の寸法（幅）の中心を通る。また、この第１係止部４３６及び第２係止部４４６を係止する板ばね６８４及び６０４（図６，７）は、このＹＺ平面２８ｃと交差する。よって、カートリッジ４がカートリッジ装着部６に装着された状態で、装置側端子部７０や板バネ６０４及び６８４（図６，図７）などから受ける力がバランスよくカートリッジ４に作用するため、カートリッジ４が傾きにくい。このことによっても、装置側端子群７２１とカートリッジ側端子群５２１との接触を、より良好に図ることが可能となる。
【手続補正１７】
【補正対象書類名】明細書
【補正対象項目名】０１２３
【補正方法】変更
【補正の内容】
【０１２３】
図４６に示すように、回路基板５０Ｂは、支持部９８８に設けられている。支持部９８８には、＋Ｚ軸方向に突出する一対の突出部９０９が設けられている。突出部９０９の形状は、略四角柱である。一対の突出部９０９のうち回路基板５０Ｂに対して＋Ｘ軸方向側に位置する一方を第１の突出部９０９ｔとも呼び、−Ｘ軸方向側に位置する他方を第２の突出部９０９ｗとも呼ぶ。一対の突出部９０９には、一対の溝９０８がそれぞれ設けられている。第１の突出部９０９ｔの第１の溝９０８ｔは、＋Ｘ軸方向に窪んでおり、第２の突出部９０９ｗの第２の溝９０８ｗは、−Ｘ軸方向に窪んでいる。溝９０８は、装置側端子部７０の位置決め部７５６が交差方向（Ｘ軸方向及びＺ軸方向）に動くことを規制する。
【手続補正１８】
【補正対象書類名】図面
【補正対象項目名】図５
【補正方法】変更
【補正の内容】
【図５】
2017056705.tif 000001